(57)【要約】【課題】差換印の交換や高さ調整をより少ない手間で簡便に行なうことができる、使い勝手に優れた日付印、なかでも差換印を備えたケース内蔵型の日付印を提供する。【解決手段】印字ユニット２を収容する主ケース７と、カバー筒８と、固定印字体３と、差換印７０を備えている。固定印字体３は主ケース７に対して、組付姿勢と分離姿勢とに姿勢変更できる。差換印７０は、氏名印字体７１とホルダー７２とで構成する。ホルダー７２は、固定印字体３に設けた差換窓２９の周囲壁に着脱可能に装着する。固定印字体３を分離姿勢にして、ホルダー７２が主ケース７の外面の自由空間に露出する状態で、差換印７０を固定印字体３に対して着脱操作する。氏名印字体７１とホルダー７２は締結ねじ８９で連結し、ホルダー７２と締結ねじ８９との間に、氏名印字体７１の印字面の高さを調整する高さ調整構造を設ける。【選択図】図１
2014108596.tif 000002
【特許請求の範囲】
【請求項１】
印字ユニット（２）を収容する本体ケース（１）と、本体ケース（１）の下部に配置される固定印字体（３）と、固定印字体（３）に装着される差換印（７０）とを備えており、
固定印字体（３）は本体ケース（１）に着脱されて、本体ケース（１）の下部に装着される組付姿勢と、本体ケース（１）から取外された分離姿勢とに姿勢変更でき、
差換印（７０）は氏名印字体（７１）と、氏名印字体（７１）を支持するホルダー（７２）とで構成されており、
ホルダー（７２）は、固定印字体（３）に設けた差換窓（２９）の周囲壁に着脱可能に装着されて、差換印（７０）の全体が固定印字体（３）で支持されており、
固定印字体（３）を組付姿勢にした状態における差換印（７０）は、全体が本体ケース（１）の内部に収容されて取外し不能に保持されており、
固定印字体（３）を分離姿勢にして、ホルダー（７２）が本体ケース（１）の外面の自由空間に露出する状態で、差換印（７０）を固定印字体（３）に対して着脱操作することを特徴とする差換印を備えている日付印。
【請求項２】
ホルダー（７２）がベース壁（７８）と、ベース壁（７８）から下向きに突出される複数個の係合脚（７９）とを一体に備えており、
係合脚（７９）を差換窓（２９）の周囲壁に形成した係合穴（９１）に差込み係合して、ホルダー（７２）が固定印字体（３）に着脱可能に装着してある請求項１に記載の差換印を備えている日付印。
【請求項３】
氏名印字体（７１）とホルダー（７２）とが、ホルダー（７２）を介して氏名印字体（７１）にねじ込んだ締結ねじ（８９）で連結されており、
氏名印字体（７１）と締結ねじ（８９）との間、またはホルダー（７２）と締結ねじ（８９）との間に、氏名印字体（７１）の印字面の高さを調整する高さ調整構造が設けてある請求項１または２に記載の差換印を備えている日付印。
【請求項４】
高さ調整構造が、ホルダー（７２）のベース壁（７８）の上面に形成した基準リブ（８１）と、締結ねじ（８９）に外嵌する状態で基準リブ（８１）に支持される調整筒（８５）と、氏名印字体（７１）の印字台（７３）とホルダー（７２）との間に配置される圧縮コイル形のばね（８６）と、調整筒（８５）の筒壁の下端に形成される一群の調整溝（８７）とで構成されており、
隣接する各調整溝（８７）の上下高さ位置は徐々に異ならせてあり、
調整筒（８５）を締結ねじ（８９）の周りに回転操作して、基準リブ（８１）で支持される調整溝（８７）を変更することにより、氏名印字体（７１）の印字面の高さを段階的に調整できる請求項３に記載の差換印を備えている日付印。
【請求項５】
締結ねじ（８９）が、ホルダー（７２）のベース壁（７８）に形成したビス挿通穴（８０）を介して印字台（７３）のねじボス（７５）にねじ込まれており、
ビス挿通穴（８０）の対向縁に臨んで設けた一対の基準リブ（８１）で、調整筒（８５）に設けた一対の調整溝（８７）を支持している請求項４に記載の差換印を備えている日付印。
【請求項６】
調整筒（８５）の周面に規制片（８８）が形成されており、
ベース壁（７８）の上面に、前記規制片（８８）を受止めて調整筒（８５）の調整限界を規定するストッパー（８２）が突設してある請求項４または５に記載の差換印を備えている日付印。
【請求項７】
本体ケース（１）が、印字ユニット（２）を収容する主ケース（７）と、主ケース（７）の外面を覆うカバー筒（８）とで構成されて、日付印がケース内蔵型の日付印として構成されており、
固定印字体（３）は主ケース（７）に着脱されて、主ケース（７）の下部に装着される組付姿勢と、主ケース（７）から取外された分離姿勢とに姿勢変更でき、
固定印字体（３）を組付姿勢にした状態における差換印（７０）は、全体が主ケース（７）の内部に収容されて取外し不能に保持されており、
固定印字体（３）を分離姿勢にしてホルダー（７２）が主ケース（７）の外面の自由空間に露出する状態で、差換印（７０）を固定印字体（３）に対して着脱操作する請求項１から６のいずれかひとつに記載の差換印を備えている日付印。
【請求項８】
ケース内蔵型の日付印におけるカバー筒（８）が、主ケース（７）の外面を覆う閉じ姿勢と、主ケース（７）の外面を開放する開放姿勢とに姿勢変更可能に主ケース（７）で支持されており、
主ケース（７）とカバー筒（８）との間に、カバー筒（８）が開放姿勢に操作されるのを規制する錠構造が設けられており、
錠構造は、カバー筒（８）の端壁に設けた締結ボス（１６）に固定される錠ユニット（３２）と、錠ユニット（３２）の操作軸（３３）に固定されるロック体（３４）と、主ケース（７）の内面に設けられる係合体（３５）とを含み、
シリンダー錠で構成した錠ユニット（３２）を鍵（３６）で施錠した状態において、ロック体（３４）が係合体（３５）と係合してカバー筒（８）が開放姿勢に切換え操作されるのを規制している請求項７に記載の差換印を備えている日付印。
【請求項９】
固定印字体（３）が、印面ホルダー（２６）と、印面ホルダー（２６）に固定したゴム印字体（２７）とで構成されており、
印面ホルダー（２６）に設けた取付爪（３０）を主ケース（７）の取付穴（３１）に下方から差込み係合して、固定印字体（３）が主ケース（７）に装着されており、
カバー筒（８）を閉じ姿勢にし、錠ユニット（３２）を鍵（３６）で施錠した状態において、取付爪（３０）の周囲をカバー筒（８）で覆って、取付爪（３０）と取付穴（３１）との係合状態が解除されるのをカバー筒（８）で阻止している請求項８に記載の差換印を備えている日付印。
【請求項１０】
本体ケース（１）が、印字ユニット（２）を収容するフレーム（１０２）と、フレーム（１０２）の下端に上下スライド可能に装着される印面台（１０３）とを備えていて、日付印がダイヤル露出形の日付印として構成されており、
固定印字体（３）は印面台（１０３）に着脱されて、印面台（１０３）の下面に装着される組付姿勢と、印面台（１０３）から取外された分離姿勢とに姿勢変更でき、
固定印字体（３）を組付姿勢にした状態における差換印（７０）は、全体がフレーム（１０２）の内部に収容されて取外し不能に保持されており、
固定印字体（３）を分離姿勢にして、ホルダー（７２）がフレーム（１０２）の外面の自由空間に露出する状態で、差換印（７０）を固定印字体（３）に対して着脱操作する請求項１から６のいずれかひとつに記載の差換印を備えている日付印。
【請求項１１】
本体ケース（１）が、印字ユニット（２）を収容するフレーム（１０２）と、フレーム（１０２）の下端に装着される印面台（１０３）とを備えていて、日付印がダイヤル露出形の日付印として構成されており、
固定印字体（３）は印面台（１０３）の下面に固定されており、
フレーム（１０２）と印面台（１０３）とは両者を貫通する連結軸（１１５）を介して連結されており、
固定印字体（３）および印面台（１０３）はフレーム（１０２）で上下スライド可能に、かつ、連結軸（１１５）の回りに揺動可能に支持されて、印面台（１０３）がフレーム（１０２）の下端に装着される組付姿勢と、印面台（１０３）がフレーム（１０２）から取外された分離姿勢とに姿勢変更でき、
印面台（１０３）を組付姿勢にした状態における差換印（７０）は、全体がフレーム（１０２）の内部に収容されて取外し不能に保持されており、
印面台（１０３）を分離姿勢にして、ホルダー（７２）がフレーム（１０２）の外面の自由空間に露出する状態で、差換印（７０）を固定印字体（３）に対して着脱操作する請求項１から６のいずれかひとつに記載の差換印を備えている日付印。
【発明の詳細な説明】
【技術分野】
【０００１】
本発明は、受付印、領収印、検査済印などに代表される日付印、なかでも固定印字体に捺印者の氏名や社員番号などを印字するための差換印が設けてある日付印に関する。
【背景技術】
【０００２】
この種の日付印は、本出願人の提案に係る特許文献１に公知である。そこでは、本体部と、本体部の下部に上下スライド可能に装着される固定印字体と、本体部に収容される印字ユニットと、本体部の上部に装着されるグリップと、固定印字体に着脱される差換印などで日付印を構成している。固定印字体は捺印位置と日付変更位置との間で姿勢を変更でき、固定印字体を日付変更位置に移動させた状態で、印字ユニットの印字ベルトを移動操作して日付を変更できる。
【０００３】
差換印はゴム印字体とホルダー（支持体）とで構成してあり、差換印を着脱するために本体部を構成する外フレームの下部背面に装着部が設けてある。ホルダーと装着部との間には、互いに係合してホルダーの前後移動を規制する第１および第２の規制構造と、左右移動を規制する左右規制構造が設けてある。これらの規制構造でホルダーの上下および左右を支持することにより、使用時の差換印が前後あるいは左右に遊動するのを規制している。ホルダーには調整ねじが設けてあり、調整ねじのねじ込み量を調整することにより、ゴム印字体の印面高さを固定印字体の印字面の高さに一致させることができる。
【０００４】
差換印を交換する場合には、固定印字体を日付変更位置までスライドさせて、固定印字体を差換印から分離し、さらに差換印の全体を固定印字体の側へ押下げ操作して、ホルダーと外フレームの後壁との係合を解除する。最後に、差換印を装着部の外へ向かって斜めに傾斜させた状態で外フレームの外へ抜出して、差換印を本体部から取外す。新たな差換印は、上記の分離手順の逆の手順に沿って装着部に装着する。調整ねじのねじ込み量を調整する場合にも、上記と同様に差換印を日付変更位置まで変位させた状態で調整ねじを調整操作する。
【０００５】
本発明においては、印字ユニットを収容する主ケースと、主ケースの外面を覆うカバー筒とで本体ケースを構成し、その下端に固定印字体を配置する構造の日付印（以下、ケース内蔵型の日付印と言う。）に差換印を付加するが、この種の日付印の基本構造は特許文献２に公知である。特許文献１に係る日付印は、スタンドに起立収納した状態で使用するが、ケース内蔵型の日付印は、固定印字体の印字面が印面キャップで覆ってあるので、日付印を手軽に携行することができ、出先で収納業務などを行うことができる。
【先行技術文献】
【特許文献】
【０００６】
【特許文献１】特開２００９−１３２０１２号公報（段落番号００３７〜００３９、図４）
【特許文献２】実公平０３−５６３７２号公報（第２頁右欄４１行〜第３頁左欄３行、第２図）
【発明の概要】
【発明が解決しようとする課題】
【０００７】
特許文献１に係る日付印においては、固定印字体を日付変更位置までスライド変位させ、その状態で差換印を押し下げ、さらに装着部の外へ傾斜させながらホルダーを装着部から取り外す必要がある。そのため、差換印を交換するときの一連の手順が複雑で、差換印の差換作業に多くの手間がかかる。
【０００８】
差換えられた差換印のゴム印字体の印字面の高さを調整する場合には、差換印を本体部の装着位置から分離して調整ねじを調整する作業と、調整後の差換印を本体部に装着し直す作業と、試行捺印を行って調整結果を確認する作業とを行う必要がある。そのため、一回の高さ調整作業で差換印と固定印字体の印字面の高さを一致できる場合はよいが、殆どの場合には各作業を数回繰り返す必要があり、一連の作業に手間がかかってしまう。また、差換印は、その調整ねじを介して上方移動が規制してあるものの、下方移動は規制されていない。さらに、ホルダーの一部が、常時、外フレームの外面に露出している。そのため、使用途中に、外フレームの外面に露出するホルダーの一部が他物と衝突して、差換印のゴム印字体が動いてしまい印字文字がにじむおそれがある。
【０００９】
差換印の着脱や、印字面の高さ調整に手間がかかるのは、差換印の上下寸法に比べて、固定印字体を日付変更位置へ変位させたときの、本体部と固定印字体の間の上下隙間が小さいからである。また、固定印字体と差換印が個別に本体部に装着されていて、差換印の固定印字体に対する印字面の高さ調整を本体部を介して行なっている点、即ち間接的に差換印の印字面の高さ調整を行なうからである。
【００１０】
特許文献１に係る日付印においては、ホルダーに対して回転不能に係合されたナットに調整ねじをねじ込んで、ゴム印字体の印面高さを調整している。そのため、連続して捺印を行うような場合に、捺印時の衝撃を受けて調整ねじが僅かずつずれ動くことがあり、その結果、使用途中に差換印の印字文字が僅かににじみ、あるいはかすれるおそれがあった。
【００１１】
差換印を備えている日付印は、殆どの場合特許文献１に開示されている構造の日付印、いわばダイヤル露出形の日付印として構成することが多く、差換印をケース内蔵型の日付印に設けた事例は過去にない。これは、印字ユニットの外面が主ケースとカバー筒で覆われていて、印字ベルトの回転軌跡を避けながら主ケースの内部に差換印を収容するのが困難なためである。しかし、ケース内蔵型の日付印において、固定印字体で捺印担当者の氏名などを印字する場合には、人事異動などにより捺印担当者が変わるごとに、固定印字体のゴム印字体を交換する必要があり、そのためのコストが嵩んでしまう。こうした状況から、ケース内蔵型の日付印を多用する職域において、差換印を備えたケース内蔵型の日付印が待望されている。
【００１２】
本発明は上記の知見に基づき提案されたものであって、その目的は、差換印の交換をより少ない手間で簡便に行なうことができる、使い勝手に優れた差換印を備えた日付印を提供することにある。
本発明の目的は、差換印の印字面の高さ調整を的確に行なえ、さらに使用途中に差換印の印字文字がにじんだりかすれたりするのを一掃し、常に適正な印字を行える差換印を備えた日付印を提供することにある。
本発明の目的は、人事異動などに伴う捺印担当者の氏名等を簡単に変更でき、氏名変更等に伴うコストを低減できる差換印を備えたケース内蔵型の日付印を提供することにある。
【課題を解決するための手段】
【００１３】
本発明に係る日付印は、印字ユニット２を収容する本体ケース１と、本体ケース１の下部に配置される固定印字体３と、固定印字体３に装着される差換印７０とを備えている。固定印字体３は本体ケース１に着脱されて、本体ケース１の下部に装着される組付姿勢と、本体ケース１から取外された分離姿勢とに姿勢変更できる。差換印７０は氏名印字体７１と、氏名印字体７１を支持するホルダー７２とで構成する。ホルダー７２は、固定印字体３に設けた差換窓２９の周囲壁に着脱可能に装着されて、差換印７０の全体を固定印字体３で支持する。固定印字体３を組付姿勢にした状態における差換印７０は、全体が本体ケース１の内部に収容されて取外し不能に保持してある。固定印字体３を分離姿勢にして、ホルダー７２が本体ケース１の外面の自由空間に露出する状態で、差換印７０を固定印字体３に対して着脱操作することを特徴とする。
【００１４】
なお、本発明において、固定印字体３が本体ケース１から分離した状態としては二つの態様があり、そのひとつは、図１３あるいは図２０に示すように固定印字体３が本体ケース１から完全に取外された態様である。また、他のひとつは、図２１に示すように、固定印字体３と本体ケース１が連結軸１１５を介して連結された状態のままで、固定印字体３が本体ケース１から抜外されて、自由に遊動できる態様である。いずれの場合にも、固定印字体３を分離姿勢にしたとき、ホルダー７２が本体ケース１の外面の自由空間に露出する点で共通している。
【００１５】
ホルダー７２はベース壁７８と、ベース壁７８から下向きに突出される複数個の係合脚７９とを一体に備えている。係合脚７９を差換窓２９の周囲壁に形成した係合穴９１に差込み係合して、ホルダー７２を固定印字体３に着脱可能に装着する。
【００１６】
氏名印字体７１とホルダー７２とは、ホルダー７２を介して氏名印字体７１にねじ込んだ締結ねじ８９で連結する。氏名印字体７１と締結ねじ８９との間、またはホルダー７２と締結ねじ８９との間に、氏名印字体７１の印字面の高さを調整する高さ調整構造を設ける。
【００１７】
高さ調整構造は、ホルダー７２のベース壁７８の上面に形成した基準リブ８１と、締結ねじ８９に外嵌する状態で基準リブ８１に支持される調整筒８５と、氏名印字体７１の印字台７３とホルダー７２との間に配置される圧縮コイル形のばね８６と、調整筒８５の筒壁の下端に形成される一群の調整溝８７とで構成する。隣接する各調整溝８７の上下高さ位置は徐々に異ならせてある。調整筒８５を締結ねじ８９の周りに回転操作して、基準リブ８１で支持される調整溝８７を変更することにより、氏名印字体７１の印字面の高さを段階的に調整できるようにする。
【００１８】
締結ねじ８９は、ホルダー７２のベース壁７８に形成したビス挿通穴８０を介して印字台７３のねじボス７５にねじ込まれる。図１５に示すように、ビス挿通穴８０の対向縁に臨んで設けた一対の基準リブ８１で、調整筒８５に設けた一対の調整溝８７を支持する。
【００１９】
調整筒８５の周面に規制片８８を形成し、ベース壁７８の上面に、規制片８８を受止めて調整筒８５の調整限界を規定するストッパー８２を突設する。
【００２０】
図２に示すように、本体ケース１は、印字ユニット２を収容する主ケース７と、主ケース７の外面を覆うカバー筒８とで構成して、日付印をケース内蔵型の日付印として構成する。固定印字体３は主ケース７に着脱されて、主ケース７の下部に装着される組付姿勢と、主ケース７から取外された分離姿勢とに姿勢変更できる。固定印字体３を組付姿勢にした状態における差換印７０は、全体が主ケース７の内部に収容されて取外し不能に保持されている。固定印字体３を分離姿勢にして、ホルダー７２が主ケース７の外面の自由空間に露出する状態で、差換印７０を固定印字体３に対して着脱操作する。
【００２１】
ケース内蔵型の日付印におけるカバー筒８は、主ケース７の外面を覆う閉じ姿勢と、主ケース７の外面を開放する開放姿勢とに姿勢変更可能に主ケース７で支持されている。主ケース７とカバー筒８との間に、カバー筒８が開放姿勢に操作されるのを規制する錠構造を設ける。図１０に示すように錠構造は、カバー筒８の端壁に設けた締結ボス１６に固定される錠ユニット３２と、錠ユニット３２の操作軸３３に固定されるロック体３４と、主ケース７の内面に設けられる係合体３５とを含む。シリンダー錠で構成した錠ユニット３２を鍵３６で施錠した状態において、ロック体３４が係合体３５と係合してカバー筒８が開放姿勢に切換え操作されるのを規制する。
【００２２】
固定印字体３は、印面ホルダー２６と、印面ホルダー２６に固定したゴム印字体２７とで構成する。印面ホルダー２６に設けた取付爪３０を主ケース７の取付穴３１に下方から差込み係合して、固定印字体３を主ケース７に装着する。図１１および図１２に示すように、カバー筒８を閉じ姿勢にし、錠ユニット３２を鍵３６で施錠した状態において、取付爪３０の周囲をカバー筒８で覆って、取付爪３０と取付穴３１との係合状態が解除されるのをカバー筒８で阻止する。
【００２３】
図１８に示すように本体ケース１は、印字ユニット２を収容するフレーム１０２と、フレーム１０２の下端に上下スライド可能に装着される印面台１０３とを備えていて、日付印がダイヤル露出形の日付印として構成してある。固定印字体３は印面台１０３に着脱されて、印面台１０３の下面に装着される組付姿勢と、印面台１０３から取外された分離姿勢とに姿勢変更できる。固定印字体３を組付姿勢にした状態における差換印７０は、全体がフレーム１０２の内部に収容されて取外し不能に保持されている。図２０に示すように、固定印字体３を分離姿勢にして、ホルダー７２がフレーム１０２の外面の自由空間に露出する状態で、差換印７０を固定印字体３に対して着脱操作する。
【００２４】
図２１に示すように本体ケース１は、印字ユニット２を収容するフレーム１０２と、フレーム１０２の下端に装着される印面台１０３とを備えていて、日付印がダイヤル露出形の日付印として構成してある。固定印字体３は印面台１０３の下面に固定する。フレーム１０２と印面台１０３とは両者を貫通する連結軸１１５を介して連結する。固定印字体３および印面台１０３はフレーム１０２で上下スライド可能に、かつ、連結軸１１５の回りに揺動可能に支持されて、印面台１０３がフレーム１０２の下端に装着される組付姿勢と、印面台１０３がフレーム１０２から取外された分離姿勢とに姿勢変更できる。印面台１０３を組付姿勢にした状態における差換印７０は、全体がフレーム１０２の内部に収容されて取外し不能に保持されている。印面台１０３を分離姿勢にして、ホルダー７２がフレーム１０２の外面の自由空間に露出する状態で、差換印７０を固定印字体３に対して着脱操作する。
【発明の効果】
【００２５】
本発明においては、固定印字体３を本体ケース１に対して、組付姿勢と分離姿勢とに姿勢変更できるようにした。また、差換印７０を固定印字体３の差換窓２９の周囲壁に着脱可能に装着して、差換印７０の全体を固定印字体３で支持するようにした。そのうえで、固定印字体３を分離姿勢にして、ホルダー７２が本体ケース１の外面の自由空間に露出する状態で、差換印７０を固定印字体３に対して着脱操作できるようにした。
【００２６】
このように、差換印７０を差換窓２９の周囲壁に装着し、さらに、ホルダー７２が自由空間に露出する状態で差換印７０を固定印字体３に着脱すると、本体ケース１に邪魔されることもなく、差換印７０を固定印字体３に対して容易に着脱できる。従って、差換印を備えている従来の日付印に比べて、差換印７０の交換をより少ない手間で簡便に行なうことができる差換印を備えた日付印を提供できる。また、固定印字体３を組付姿勢にした状態では、差換印７０の全体が本体ケース１の内部に収容されて取外し不能に保持されるので、使用途中に差換印７０が他物と衝突するなどにより、差換印７０の印字文字がにじんだりかすれたりするのを一掃して、常に適正な印字を行うことができる。使用状態における日付印の外観の印象をすっきりさせることができる利点もある。
【００２７】
ベース壁７８と複数個の係合脚７９とでホルダー７２を構成し、係合脚７９と差換窓２９の周囲の係合穴９１を係合要素とする着脱構造によれば、係合脚７９を係合穴９１に差込係合するだけで差換印７０を固定印字体３に簡単に固定できる。さらに、係合脚７９を操作して係合穴９１との係合状態を解除するだけで、差換印７０を固定印字体３から簡単に取外すことができる。従って、従来の差換印を備えた日付印に比べて、差換印７０の固定印字体３に対する着脱操作を、より少ない手間で簡便に、しかも的確に行うことができる。また、差換印７０を固定印字体３に装着した状態では、差換印７０が遊動する余地がないので、使用途中に差換印７０の印字文字がにじんだりかすれたりするのをさらに確実に防止して、常に適正な印字を行える。
【００２８】
氏名印字体７１と締結ねじ８９との間、あるいはホルダー７２と締結ねじ８９との間に、氏名印字体７１の印字面の高さを調整する高さ調整構造を設けると、差換印７０の高さ調整に要する手間を著しく省いて、迅速に高さ調整作業を行なうことができる。高さ調整を行なう場合には、差換印７０を固定印字体３に装着した状態のままで直接的に行うことができ、しかも、調整後直ちに試行捺印を行って調整結果を確認することができるので、一連の高さ調整作業をより少ない手間で的確に行なうことができるからである。従来のこの種の日付印においては、調整後の差換印を本体部に装着し直したうえで、試行捺印を行う必要があったが、こうした手間は一切不要となる。なお、ホルダー７２と締結ねじ８９との間に設けた高さ調整構造は図１５に例示しており、氏名印字体７１と締結ねじ８９との間に設けた高さ調整構造は図２２に例示している。
【００２９】
調整筒８５を締結ねじ８９の周りに回転操作して、基準リブ８１で支持される調整溝８７を変更する高さ調整構造によれば、氏名印字体７１の印字面の高さを段階的に漸増ないし漸減調整できるので、試行捺印の結果に応じた高さ調整を的確に行なうことができる。また、調整後の調整筒８５は、ばね８６の付勢力を受けて下向きに押付けられ、筒壁の下端に設けた調整溝８７が基準リブ８１で受止められているので、調整筒８５が適正な調整位置からずれ動くのを確実に防止できる。従って、使用途中に調整筒８５が外力を受けて回動することはなく、差換印７０による印字を常に適正に行うことができる。
【００３０】
ビス挿通穴８０の対向縁に臨んで一対の基準リブ８１を設けると、一対の調整溝８７を一対の基準リブ８１で支持して、調整筒８５をより安定した状態で支持できる。また、一対の調整溝８７と基準リブ８１とが互いに係合して、調整筒８５が適正な調整位置からずれ動くのをさらに確実に防止できる。
【００３１】
調整筒８５の周面に設けた規制片８８を、ベース壁７８の上面に設けたストッパー８２で受止めるようにすると、調整筒８５が調整限界を越えて回動操作されるのを規制できる。従って、調整筒８５が適正な調整範囲から大きく逸脱して、不必要に調整操作されるのを防止でき、差換印７０の印字面の高さ調整を、適正な調整範囲内で簡便にしかも的確に行なうことができる。
【００３２】
ケース内蔵型の日付印においては、主ケース７とカバー筒８とで本体ケース１を構成して、固定印字体３を主ケース７に対して着脱することにより、組付姿勢と分離姿勢とに姿勢変更できるようにした。また、差換印７０を固定印字体３の差換窓２９の周囲壁に着脱可能に装着して、差換印７０の全体を固定印字体３で支持するようにした。そのうえで、固定印字体３を分離姿勢にして、ホルダー７２が主ケース７の外面の自由空間に露出する状態で、差換印７０を固定印字体３に対して着脱操作できるようにした。
【００３３】
このように、差換印７０を差換窓２９の周囲壁に装着し、さらに、ホルダー７２が自由空間に露出する状態で差換印７０を固定印字体３に着脱すると、主ケース７に邪魔されることもなく、差換印７０を固定印字体３に対して容易に着脱できる。また、差換印７０を差換えることで捺印担当者の氏名等を簡単に変更できるので、固定印字体３のゴム印字体２７を交換する必要があった従来のケース内蔵型の日付印に比べて、氏名変更等に伴うコストを低減して、ケース内蔵型の日付印の使い勝手を向上できる。
【００３４】
シリンダー錠からなる錠ユニット３２と、ロック体３４と、係合体３５などで錠構造を構成し、錠構造を本体ケース１に組込んだケース内蔵型の日付印によれば、錠ユニット３２を施錠するだけでカバー筒８を開放不能にして、日付が不正に変更されるのを防止できる。また、印字ベルト２４を操作して日付を変更する場合には、錠ユニット３２を解錠したのち、カバー筒８を開放姿勢に移動操作して、調整ダイヤル２２を調整窓９から露出させるだけでよく、日付の変更や調整を迅速にしかも簡単に行なえる。さらに、シリンダー錠で錠ユニット３２を構成することにより、シリンダー錠の分だけ全体重量が大きくなるので、日付印を片手で持ったときの印象を重厚感に富むものとして、従来の日付印に比べて高度のセキュリティ機能を備えている日付印であることを使用者に訴求することができる。
【００３５】
印面ホルダー２６に設けた取付爪３０を主ケース７の取付穴３１に下方から差込み係合した状態において、その周囲をカバー筒８で覆うようにすると、取付爪３０と取付穴３１との係合状態が解除されるのをカバー筒８で阻止できる。従って、固定印字体３が主ケース７から分離されて差換印７０が不正に交換されるのを防止できる。また、固定印字体３を主ケース７から取外した状態で、印字ベルト２４を出退口１２から直接回動操作して日付が不正に変更されるのを防止できる。とくに、錠構造でカバー筒８の開放操作を規制するケース内蔵型の日付印において、固定印字体３が主ケース７から分離されるのを確実に防止して、差換印７０の不正交換や日付の不正変更を確実に防止できる。
【００３６】
ダイヤル露出形の日付印においては、本体ケース１を構成するフレーム１０２の下端に印面台１０３を設け、固定印字体３を印面台１０３に着脱することにより、組付姿勢と分離姿勢とに姿勢変更できるようにした。また、差換印７０を固定印字体３の差換窓２９の周囲壁に着脱可能に装着して、差換印７０の全体を固定印字体３で支持するようにした。そのうえで、固定印字体３を分離姿勢にして、ホルダー７２がフレーム１０２の外面の自由空間に露出する状態で、差換印７０を固定印字体３に対して着脱操作できるようにした。
【００３７】
上記のように、差換印７０を差換窓２９の周囲壁に装着し、さらに、ホルダー７２が自由空間に露出する状態で差換印７０を固定印字体３に着脱すると、フレーム１０２に邪魔されることもなく、差換印７０を固定印字体３に対して容易に着脱できる。また、固定印字体３を組付姿勢にした状態における差換印７０は、全体がフレーム１０２の内部に収容されるので、従来のこの種の日付印に比べて、使用状態における日付印の外観の印象をすっきりさせることができる。
【００３８】
フレーム１０２の下端に印面台１０３を装着し、その下面に固定印字体３を固定する形態のダイヤル露出形の日付印においては、固定印字体３および印面台１０３をフレーム１０２に対して組付姿勢と分離姿勢とに姿勢変更できるようにした。また、差換印７０を固定印字体３の差換窓２９の周囲壁に着脱可能に装着して、差換印７０の全体を固定印字体３で支持するようにした。そのうえで、固定印字体３および印面台１０３を分離姿勢にして、ホルダー７２がフレーム１０２の外面の自由空間に露出する状態で、差換印７０を固定印字体３に対して着脱操作できるようにした。
【００３９】
上記のように、差換印７０を差換窓２９の周囲壁に装着し、さらに、ホルダー７２が自由空間に露出する状態で差換印７０を固定印字体３に着脱すると、フレーム１０２に邪魔されることもなく、差換印７０を固定印字体３に対して容易に着脱できる。また、印面台１０３を分離姿勢にした状態においても、印面台１０３はフレーム１０２に対して連結軸１１５で連結されたままであるので、印面台１０３をフレーム１０２に組付ける際に組付姿勢や向きを間違えるおそれがなく、印面台１０３をフレーム１０２に適正に組むことができる。
【図面の簡単な説明】
【００４０】
【図１】実施例１に係る日付印を示す本体ケース下部の断面図である。
【図２】使用状態における日付印の縦断側面図である。
【図３】使用状態における日付印の縦断正面図である。
【図４】カバー筒を開放した状態の日付印の正面図である。
【図５】日付印の分解斜視図である。
【図６】錠構造が施錠された状態を示す図２におけるＡ−Ａ線断面図である。
【図７】錠構造が解錠された状態を示す図６と同等位置の断面図である。
【図８】錠構造が施錠された状態を示す本体ケース上部の縦断側面図である。
【図９】錠構造が解錠された状態を示す本体ケース上部の縦断側面図である。
【図１０】上キャップを取外した状態の本体ケース上部の縦断正面図である。
【図１１】固定印字体および印面キャップを示す一部破断正面図である。
【図１２】図１０におけるＢ−Ｂ線断面図である。
【図１３】差換印および固定印字体の分解斜視図である。
【図１４】固定印字体に装着した差換印の平面図である。
【図１５】図１４におけるＣ−Ｃ線断面図である。
【図１６】調整溝の構造を示す調整筒の展開図である。
【図１７】日付印を起立保持するスタンドの縦断面図である。
【図１８】実施例２に係る日付印の縦断側面図である。
【図１９】図１８におけるＤ−Ｄ線断面図である。
【図２０】固定印字体を分離した状態の日付印の縦断側面図である。
【図２１】実施例３に係る日付印の縦断側面図である。
【図２２】高さ調整構造の別の実施例を示す断面図である。
【発明を実施するための形態】
【００４１】
（実施例１）  図１ないし図１７は本発明に係る差換印を備えた日付印の実施例を示す。図２および図３において日付印は、本体ケース１と、本体ケース１の内部に収容される印字ユニット２と、本体ケース１の下端面に配置される固定印字体３と、固定印字体３の印字面を覆う印面キャップ４などでケース内蔵型の日付印として構成してある。図１１に示すように印面キャップ４は、内底にインク含浸マット５が収容してあるキャップ本体４ａと、インク含浸マット５用のインク補充口６を覆うキャップ蓋４ｂとで構成する。
【００４２】
本体ケース１は、印字ユニット２を収容する主ケース７と、主ケース７の外面を覆うカバー筒８とで構成する。主ケース７は有底筒状のプラスチック成形品からなり、その筒壁の上下中途部に、印字ユニット２の調整ダイヤル２２を露出させるための一対の調整窓９が開口され、両調整窓９の間の筒壁外面に、カバー筒８を開閉案内する平坦なガイド部１０と断面Ｔ字状のガイドリブ１１が一体に形成してある（図６参照）。主ケース７の底壁には、印字ベルト２４を固定印字体３に向かって出入れするための出退口１２が開口され、さらに、出退口１２の後側に差換印７０用の出入口１３が開口してある。
【００４３】
図５に示すようにカバー筒８は、下向きに開口する有底筒状のプラスチック成形品からなり、その筒壁の左右に先のガイドリブ１１で案内されるスライド溝１４が筒下端から上向きに形成され、スライド溝１４の下端両側にロック爪１５が形成してある。カバー筒８の上端壁には締結ボス１６が膨出形成されており、この締結ボス１６に上キャップ１７が着脱可能に装着してある。
【００４４】
カバー筒８を主ケース７に外嵌して、そのスライド溝１４をガイドリブ１１でスライド案内することにより、カバー筒８は、主ケース７の外面を覆う閉じ姿勢と、主ケース７の調整窓９の外面を開放する開放姿勢とに姿勢変更できる。カバー筒８が閉じ姿勢になっている状態を図２、図３に示し、カバー筒８が開放姿勢になっている状態を図４に示している。カバー筒８を開放姿勢にした状態においては、印字ユニット２の調整ダイヤル２２を調整窓９から露出させることができ、この状態で印字ベルト２４を回転操作することにより印字ユニット２の日付を変更できる。
【００４５】
図２において印字ユニット２は、門形のフレーム２０と、その対向壁で支持したダイヤル軸２１と、ダイヤル軸２１で支持した６個の調整ダイヤル２２と、フレーム２０の下端に装着されるブリッジ２３と、調整ダイヤル２２およびブリッジ２３に巻き掛けられる５個の無端状の印字ベルト２４などで構成する。印字ベルト２４には、それぞれ２桁の年号数字と、月数字と、日数字を印字する字母ブロックが一定間隔おきに設けてあり、月数字を印字する印字ベルト２４のみが１個の印字ベルトで構成してある。
【００４６】
印字ユニット２は、主ケース７に収容されて、下方の印字位置と上方の日付変更位置との間を上下動でき、主ケース７とフレーム２０との間に配置した圧縮コイル形のばね２５で日付変更位置へ向かって押し上げ付勢してある。日付変更位置においては、印字ユニット２の全体がばね２５で押し上げられて、調整ダイヤル２２が調整窓９に臨んでいる。印字ユニット２が日付変更位置に変位した状態においては、後述する規制脚６５が調整窓９の上開口縁で受止められて、印字ユニット２が日付変更位置を越えて主ケース７から抜け出るのを規制している（図９参照）。
【００４７】
固定印字体３は、印面ホルダー２６と、印面ホルダー２６に接着固定したゴム印字体２７とで構成してあり、図２に示すように、その前後中央に印字ベルト２４の字母ブロックを出し入れするための日付窓２８が開口してある。また、日付窓２８の後側に隣接して、差換印７０を着脱するための差換窓２９が開口してある。印面ホルダー２６の周縁の左右には、上向きに突出する取付爪３０が一体に設けてあり、この取付爪３０を主ケース７の取付穴３１に下方から差込み係合することにより、固定印字体３を主ケース７と一体化することができる（図１１参照）。この状態でカバー筒８を主ケース７に組付けることにより、取付爪３０の外面がカバー筒８で覆われるが、その意味は後述する。ゴム印字体２７の印面のうち、日付窓２８より前側の領域には、領収、受付、出納などの文字を印字する印字面が形成してある。また、日付窓２８より後側の領域には、会社名や部署名などの文字を印字する印字面が形成され、さらに、差換窓２９に装着した差換印７０で捺印者名や社員番号などを印字できる。
【００４８】
カバー筒８が不正に開放操作されて日付が意図的に変更されるのを防止するために、カバー筒８と主ケース７との間に錠構造を設けて、印字ユニット２の日付が無断で変更されるのを防止している。また、カバー筒８とフレーム２０との間に高さ調整構造を設けて、印字ユニット２の印面高さを調整できるようにしている。
【００４９】
図１０において錠構造は、締結ボス１６の端壁に固定される錠ユニット３２と、錠ユニット３２の操作軸３３に固定されるロック体３４と、主ケース７の内面に設けられる係合溝（係合体）３５とで構成する。符号３６は、錠ユニット３２を施錠ないし解錠操作する鍵である。錠ユニット３２は、ディスクタンブラー型、ピンタンブラー型、マグネットタンブラー型などの市販のシリンダー錠からなり、錠ケース３７の内部に外筒、内筒、およびタンブラーなどを組込んで構成してある。
【００５０】
錠ケース３７は、締結ボス１６の中央に設けた錠受座３８で受止められるフランジ３７ａと、錠受座３８に形成した取付穴３９に差込み係合される軸部４０とを一体に備えている。軸部４０は対向周面が平坦に形成された太鼓形断面に形成してあり、その円弧周面に雄ねじ４１が形成してある。そのため、図１および図３に示すように、平坦に形成された軸部周面においては、軸部４０と調整リング５４との間に小さな隙間が形成される。内筒の上端には鍵穴４２が開口してあり、内筒の下側には太鼓形断面の操作軸３３が一体に形成され、その周面に雄ねじ４３が形成してある。錠ケース３７の軸部４０を錠受座３８の取付穴３９に上方から差込み係合し、その周面の雄ねじ４１に大径の第１ナット４４をねじ込むことにより、錠ユニット３２が錠受座３８に固定される。この状態の鍵穴４２は、錠ケース３７の上端面に露出している。
【００５１】
図５に示すようにロック体３４は、円板状に形成される本体部４８と、本体部４８の周囲の対向２個所に張出し形成される係合爪４９とを一体に備えた金属製の部品からなり、本体部４８の板面の２個所に部分円弧状の逃げ溝５０が形成してある。また、本体部４８の中央には、操作軸３３に外嵌する連結穴５１が太鼓形に形成してある。連結穴５１を座金とともに操作軸３３に外嵌したのち、小径の第２ナット４５を雄ねじ４３にねじ込むことにより、ロック体３４が操作軸３３に固定される。従って、鍵３６を鍵穴４２に差込んで内筒を回転操作するとき、ロック体３４は操作軸３３に同行して回転する。
【００５２】
係合溝３５は主ケース７の上筒壁の内面の対向２個所に凹み形成してあり、錠ユニット３２を鍵３６で施錠した状態では、図６に示すように、ロック体３４の係合爪４９が係合溝３５と係合して、カバー筒８が閉じ姿勢から開放姿勢に移動操作されるのを阻止する。また、錠ユニット３２を鍵３６で解錠した状態では、図７に示すように、ロック体３４の係合爪４９が係合溝３５から分離するので、カバー筒８は主ケース７に対して上方移動可能な状態となる。この状態でカバー筒８を開放操作することにより、印字ユニット２がばね２５で日付変更位置へ押上げ操作されて、印字ベルト２４の下部が日付窓２８および出退口１２から上方へ抜出るので、印字ベルト２４を回転操作することができる。なお、上記の閉じ位置（開放規制位置）におけるカバー筒８の下端は、主ケース７の下部に設けたフランジ壁で受止められている。
【００５３】
高さ調整構造は、調整リング（調整体）５４と、調整リング５４の調整動作を印字ユニット２のフレーム２０に伝える中継枠５５とで構成する。調整リング５４はロック体３４より上方に配置されており、中継枠５５はロック体３４と印字ユニット２のフレーム２０との間に配置してある。図５において調整リング５４は、円形リング状のプラスチック成形品からなり、その周面の全体に滑止めリブ５６の一群が形成してある。調整リング５４の内面上部には、第１ナット４４を受入れる凹部５７が形成され、さらに、凹部５７より下側のリング内面に雌ねじ５８が形成してある。調整リング５４を回転操作するために、締結ボス１６の周壁の左右に一対の操作窓５９が開口してある。操作窓５９から露出する滑止めリブ５６を指先で摘んで調整リング５４を回転操作することにより、印字ユニット２の高さ調整を容易に行なうことができる。
【００５４】
調整リング５４は、雌ねじ５８を錠ケース３７の雄ねじ４１にねじ込むことにより、錠ケース３７の軸部４０で上下に調整移動可能に支持してある（図８参照）。このように、錠ケース３７の軸部４０に設けた雄ねじ４１を利用して、調整リング５４を軸部４０で上下に調整移動可能に支持すると、調整リング５４のねじ込み相手を別途設ける必要がないので、高さ調整構造が複雑化するのを防止できる。また、軸部４０に形成される雄ねじ４１は細目ねじで形成してあるので、調整リング５４を回転操作して印字ユニット２を移動させるときの、１回転あたりの上下調整量を小さくできる。さらに、金属加工されて精密に形成された雄ねじ４１に調整リング５４をねじ込むので、軸部４０にねじ込んだ調整リング５４が上下にがたつくのを防止でき、全体として、印字ユニット２の印面高さの調整を精密に行なうことができる。加えて、錠ユニット３２と調整リング５４を同心状に配置するので、これら両者３２・５４が占めるスペースの無駄を省いた状態で、カバー筒８の内面上部に錠構造と高さ調整構造とを集約配置することができる。
【００５５】
図５において中継枠５５は、四角形状に形成される中央の接合座６１と、接合座６１の前後に張り出される三日月状の受動座６２と、受動座６２の上面に突設される前後一対の受動片６３とを一体に備えたプラスチック成形品からなる。接合座６１の下面の四隅には、印字ユニット２のフレーム２０の上壁２０ａに係合する接合脚６４が下向きに突設してある。また、前側の受動座６２の前部下面と、後側の受動座６２の後部下面には、それぞれ規制脚６５が下向きに突設してある。受動片６３は断面半円状に形成してある。
【００５６】
中継枠５５は、その接合脚６４が上壁２０ａの下面側に係合されて、接合座６１が印字ユニット２のフレーム２０の上壁２０ａに予め連結固定してある。また、錠ユニット３２、ロック体３４、および調整リング５４はカバー筒８に予め組付けられており、カバー筒８を主ケース７に組む前に錠ユニット３２を鍵３６で解錠しておく。中継枠５５が組付けられた印字ユニット２をばね２５とともに主ケース７の内部に組付けたのち、カバー筒８を主ケース７に組付けて、受動片６３が逃げ溝５０に係合する状態で、中継枠５５の規制脚６５を調整窓９に係合させる。この組付け状態においては、受動片６３が逃げ溝５０を介して本体部４８の上方へ突出して、調整リング５４の下面に接当する（図８参照）。ロック体３４は、中継枠５５に対して逃げ溝５０の範囲内で相対回転でき、従って、ロック体３４が鍵３６で回転操作されるとき、回転変位しない受動片６３と、回転する本体部４８とが動作干渉するのを回避できる。
【００５７】
上記のように、カバー筒８の内面の上部に錠構造と高さ調整構造とを集約配置すると、締結ボス１６の上面に錠ユニット３２の上端面および鍵穴４２が露出する。また、締結ボス１６の周面２個所において、調整リング５４の滑止めリブ５６と操作窓５９が露出して、日付印の外観の印象が損なわれてしまう。こうした、外観上の不具合を解消し、さらに鍵穴４２に異物が入込むのを防ぐために上キャップ１７を設け、同キャップ１７を締結ボス１６に着脱自在に装着している。上キャップ１７の装着状態を維持するために、締結ボス１６の周壁の下部と、上キャップ１７の内面の下部とに、互いに係合するリブが設けてある。
【００５８】
図１３ないし図１６に差換印７０の詳細を示す。差換印７０は、捺印者の氏名や社員番号などを印字する氏名印字体７１と、氏名印字体７１を差換窓２９に装着するためのホルダー７２と、氏名印字体７１とホルダー７２との間に設けられる高さ調整機構などで構成する。図１３において氏名印字体７１は、プラスチック製の印字台７３と、印字台７３の下面に接着固定されるゴム印字体７４とからなる。印字台７３の上面にはねじボス７５が形成してあり、左右側面には回止めを兼ねる位置決めリブ７６が形成してある。
【００５９】
ホルダー７２は横長四角形状のベース壁７８と、ベース壁７８の左右両側の前後に下向きに設けた４個の係合脚７９とを一体に備えた門形のプラスチック成形品からなり、ベース壁７８の中央にビス挿通穴８０が上下貫通状に形成してある。ビス挿通穴８０の左右両側には、高さ調整機構を構成する断面が三角形状の基準リブ８１が設けてあり、ベース壁７８の後縁の左右にはストッパー８２が突設してある。
【００６０】
高さ調整機構は、先の基準リブ８１と、基準リブ８１で支持される調整筒８５と、ホルダー７２と印字台７３との間に配置される圧縮コイル形のばね８６と、調整筒８５の筒壁の下端に形成される一群の調整溝８７とで構成する。調整筒８５の周面には、先のストッパー８２で受止められる規制片８８が張出し形成してある。各調整溝８７は、図１６の展開図に示すように、調整筒８５の筒壁の下端を逆Ｖ字状に切欠いて、各溝８７が周方向へ連続して溝列を構成するように形成してある。調整溝８７は、調整筒８５の筒壁の対向位置に６対ずつ１２個が形成してあり、隣接する各調整溝８７の上下高さ位置が０．２ｍｍずつ異なっている。
【００６１】
調整筒８５に挿通した状態の締結ビス（締結ねじ）８９をベース壁７８のビス挿通穴８０に挿通し、さらに、そのねじ軸を印字台７３のねじボス７５にねじ込むことにより、氏名印字体７１とホルダー７２とが一体化される。この組付け状態においては、図１５に示すように締結ビス８９の操作頭部の下面が調整筒８５の上端壁で支持され、対を為す調整溝８７が一対の基準リブ８１で安定した状態で受止められている。また、氏名印字体７１はばね８６で下向きに移動付勢されて、調整筒８５と締結ビス８９を介してホルダー７２で吊下げ支持された状態になっている。
【００６２】
差換窓２９の左右には、位置決めリブ７６を受入れる位置決め溝９０が形成してあり、さらに、係合脚７９を係合するための４個の係合穴９１が差換窓２９に隣接して形成してある。係合脚７９と係合穴９１が、差換印７０を固定印字体３に装着するための連結構造を構成している。
【００６３】
差換印７０は、固定印字体３を主ケース７から取外した状態で、固定印字体３の上面側から差換窓２９に着脱して交換する。詳しくは、固定印字体３を主ケース７から取外したのち、差換窓２９に装着してある差換印７０の係合脚７９を、左右中央へ接近する向きに弾性変形させて係合穴９１との係合状態を解除し、差換印７０を差換窓２９から取り外す。次に新規な差換印７０の氏名印字体７１を、位置決めリブ７６と位置決め溝９０が係合する状態で差換窓２９に嵌込み、さらに、係合脚７９を係合穴９１に差込んで、その係合爪を係合穴９１の下面側の段部に係合させる。
【００６４】
交換された新規な差換印７０の高さ調整を行なう場合は、まず、固定印字体３およびゴム印字体７４の印字面にインクを付着させた状態で紙面に捺印して、氏名印字体７１の捺印状態を確認する。殆どの場合、固定印字体３のゴム印字体２７と氏名印字体７１のゴム印字体７４とは、両者の生産時期が異なっているので、氏名印字体７１の捺印状態は、印字された文字がかすれるか、にじんでいることが多い。いずれにせよ、捺印を試行することで氏名印字体７１を固定印字体３の印字面に対して、かすれを修正する向きに調整するか、にじみを修正する向きに調整するかを決定することができる。
【００６５】
次に、調整筒８５を左右いずれかへ回転して、基準リブ８１で支持される調整溝８７を変更することにより、氏名印字体７１の印字面の高さを調整する。例えば、かすれを修正する場合には、図１４において調整筒８５を時計回転方向へ回転操作して、溝深さが大きな調整溝８７を基準リブ８１で支持することにより、氏名印字体７１の印字面を下げる。つまり、固定印字体３の印字面を基準とする場合に、氏名印字体７１の印字面を固定印字体３の印字面から突出する側へ移動させる。また、にじみを修正する場合には、調整筒８５を反時計回転方向へ回転操作して、溝深さが小さな調整溝８７を基準リブ８１で支持することにより、氏名印字体７１の印字面を上げる。つまり、固定印字体３の印字面を基準とする場合に、氏名印字体７１の印字面を固定印字体３の印字面から退入する側へ移動させる。
【００６６】
この実施例では、調整溝８７が６対ずつ１２個設けてあるので調整量の合計は１．２ｍｍとなり、その範囲内で氏名印字体７１の高さを調整できる。再度、捺印を試行して調整結果を確認し、氏名印字体７１で印字された文字等の状態が好みの状態になるまで調整を行なう。高さ調整を行なうとき、溝列の始終端に位置する調整溝８７が基準リブ８１で支持された状態、つまり調整筒８５が調整限界位置にあるとき、調整限界を越えて調整筒８５が回転操作されるのを防ぐために、規制片８８をストッパー８２で受止めている。このように、調整筒８５が調整限界を越えて回動操作されるのをストッパー８２で規制すると、調整筒８５が適正な調整範囲から大きく逸脱する状態で不必要に調整操作されるのを防止できる。従って、差換印７０の印字面の高さ調整を、適正な調整範囲内で簡便にしかも的確に行なえる。
【００６７】
なお、調整溝８７の溝深さが大きくなると、調整筒８５がばね８６の付勢力に対向して基準リブ８１を乗越えるときの上方移動量が増加し、その分だけ操作抵抗が増えて回転操作しにくくなる。こうした場合には、差換印７０の締結ビス８９を緩めてばね８６の付勢力を低下させた状態で調整筒８５を回転操作すると、容易に調整筒８５を回転操作できる。調整筒８５を回転操作したのちには、再び締結ビス８９をねじ込んで、氏名印字体７１を締結ビス８９に固定する。
【００６８】
上記のように差換印７０を固定印字体３の上面に直接装着する日付印によれば、固定印字体３を主ケース７から取外すことにより、ホルダー７２が主ケース７の外面の自由空間に露出する状態で、差換印７０の固定印字体３に対する着脱を行えるので、差換印７０の交換をより少ない手間で簡便に行なうことができる。また、調整筒８５を回転操作するだけで、差換印７０の固定印字体３に対する印字面の高さ調整を直接的に行えるので、差換印７０の印字面の高さ調整をより少ない手間で的確に行なうことができる。さらに、固定印字体３を主ケース７に再装着する必要もなく試行捺印を行って捺印状態を確認できるので、全体として、差換印７０の印字面の高さ調整に要する一連の手間を軽減して、高さ調整作業を簡便に行うことができる。
【００６９】
固定印字体３に装着した差換印７０は、４個の係合脚７９を介して固定印字体３に固定され、さらに、ホルダー７２の左右が位置決め溝９０で支持されている。また、調整筒８５はばね８６の付勢力を受けて、その調整溝８７が基準リブ８１に押付けられている。そのため、氏名印字体７１に捺印反力が作用するような場合であっても、調整溝８７と基準リブ８１との係合状態が解除されることはなく、従って、使用途中に差換印７０の印字文字がにじんだりかすれたりするのを一掃して、常に適正に印字を行うことができる。
【００７０】
日付印は、管理責任者が鍵３６を所定の場所に保管して、日付印の使用状況を管理する。始業時には、上キャップ１７を取り外したのち、鍵３６を鍵穴４２に差込んで錠ユニット３２を解錠し、カバー筒８を開放姿勢にして調整ダイヤル２２を調整窓９に臨ませる。この状態で日数字を印字する印字ベルト２４に対応する調整ダイヤル２２を送り操作して、使用する日付に適合した字母ブロックを選定する。日付の調整が終了したら、カバー筒８を閉じ姿勢にした状態で錠ユニット３２を施錠して、カバー筒８の開放移動を阻止し、上キャップ１７を締結ボス１６に装着した状態で捺印担当者に日付印を渡す。一連の日付変更作業は管理責任者が行なってもよく、管理責任者が立会う状況下で捺印担当者が行なってもよい。
【００７１】
以上のように構成したケース内蔵型の日付印によれば、錠ユニット３２を正規の鍵３６で解錠しない限り、カバー筒８を開放操作できないので、印字ベルト式の日付印であるにもかかわらず、管理責任者ではない使用者が日付を変更するのを確実に防止できる。また、印字ベルト２４を送り操作するだけで日付の変更を行なえるので、従来の差換印に比べて、日付の変更をより少ない手間で簡便に行なえる。さらに、管理責任者は鍵３６のみを管理すればよいので、差換えコマを管理する必要があった差換印に比べて、管理の手間を大幅に省くことができる。印字要素を紛失したり、破損するおそれもない。
【００７２】
カバー筒８が閉じ姿勢になっている状態では、印面ホルダー２６の取付爪３０の外面がカバー筒８で覆われている（図１２参照）。そのため、取付爪３０を係合解除操作して固定印字体３を主ケース７から取外すことはできない。従って、固定印字体３を主ケース７から取外した状態で、印字ベルト２４を出退口１２の側から直接回動操作して、日付が不正に変更されるのを防止できる。因みに、取付爪３０を係合解除操作して固定印字体３を主ケース７から取外すことが可能であると、日付窓２８より開口面積の大きな出退口１２が露出するため、印字ベルト２４を直接回動操作して日付を変えることが可能となる。
【００７３】
上記の日付印によれば、錠ユニット３２がシリンダー錠で構成してあるので、シリンダー錠の分だけ日付印の全体の重量が大きくなる。従って、日付印を片手で持ったときの印象を重厚感に富むものとして、従来の日付印に比べて高度のセキュリティ機能を備えている日付印であることを使用者に訴求することができる。
【００７４】
上記構成の日付印の捺印頻度が高い場合には、日付印を図１７に示すスタンドに収容して使用することができる。スタンドは、日付印を出入れするための収容筒９４を備えている上側のスタンド本体９５と、スタンド本体９５を支持する下側のスタンド台９６と、収容筒９４の真下に位置する状態でスタンド台９６に設けられるマットホルダー９７などで構成する。マットホルダー９７は皿状に形成してあって、その内部にインク吸蔵マット９８が収容される。不使用状態の日付印は、収容筒９４の内部に収容されて全体が起立姿勢に保持されており、さらに、固定印字体３および差換印７０の印字面がインク吸蔵マット９８の上面に接触している。従って、日付印を収容筒９４から取出すだけで連続して捺印でき、こうした使用形態では印面キャップ４を省略することができる。
【００７５】
なお、氏名印字体７１は、捺印者の氏名や社員番号などを印字する以外に、競技会やイベントなどの開催回数を印字してもよい。また、食品を販売した時間が午前か午後か、あるいは食品の賞味期限など、印字ベルト２４で印字される基準日付に関連した第２日付を印字してもよい。
【００７６】
（実施例２）  図１８ないし図２０は、本発明をダイヤル露出型の日付印に適用した実施例を示す。日付印は、本体ケース１と、本体ケース１に収容される印字ユニット２と、本体ケース１の上部に装着されるグリップ１０１と、固定印字体３、および差換印７０などで構成する。本体ケース１は、印字ユニット２を収容するフレーム１０２と、フレーム１０２の下端に上下スライド可能に装着される印面台１０３と、フレーム１０２の上端に外嵌装着される固定枠１０４などで構成する。フレーム１０２は、二分割されたプレス成形品を前後に接合して構成してあり、前後の対向壁のそれぞれに調整ダイヤル２２の周縁を露出させるためのスリット１０５が形成してある。
【００７７】
固定印字体３は、実施例１と同様に、印面ホルダー２６と、印面ホルダー２６に接着固定したゴム印字体２７とで構成してあり、その前後中央に日付窓２８を開口し、日付窓２８の後側に差換窓２９が開口してある。印面ホルダー２６の周縁の左右には、上向きに突出する取付爪３０が一体に設けてあり、この取付爪３０を印面台１０３に設けた取付穴３１に下方から差込み係合することにより、固定印字体３を印面台１０３の下面に装着して組付姿勢にすることができる（図１８、図１９参照）。また、各取付爪３０を弾性変形させながら、取付爪３０と取付穴３１との係合状態を解除すると、図２０に示すように、固定印字体３を印面台１０３から取外して分離姿勢にすることができる。
【００７８】
印字ユニット２のフレーム２０と固定枠１０４との間には高さ調整機構が設けてある。高さ調整機構は、フレーム２０の上端壁に固定されるねじ軸１０８と、固定枠１０４の上面においてねじ軸１０８にねじ込まれるナット１０９と、ナット１０９を回転操作する調整リング１１０とで構成する。ねじ軸１０８の上端にはグリップ１０１がねじ込まれて、その下端面で調整リング１１０を回転不能に押圧している。グリップ１０１を緩み側へ回転操作して調整リング１１０から分離した後、調整リング１１０を介してナット１０９を回転操作することにより、印字ユニット２の全体を上下に調整移動できる。
【００７９】
印面台１０３は、円形に形成される下側の受座１１３と、受座１１３の上面に設けられる四角枠状の保持枠１１４を一体に備えたプラスチック成形品からなる。受座１１３には、出退口１２および出入口１３と、係合穴９１が形成してある。印面台１０３はフレーム１０２に連結軸（ボルト）１１５を介して連結されて、印字ユニット２のフレーム２０、および本体ケース１のフレーム１０２に設けたスライド溝１１６に沿って上下スライドして、上方の印字位置（図１８の状態）と下方の日付変更位置（図２０の状態）との間を上下動できる。連結軸１１５は、連結軸１１５にねじ込まれるナットと歯付座金とで保持枠１１４と一体化してある。固定印字体３は、印面台１０３の下面に装着される組付姿勢と、印面台１０３から取外された分離姿勢とに姿勢変更でき、分離姿勢にした状態において差換印７０が差換窓２９に着脱される。他は先の実施例と同じであるので、同じ部材に同じ符号を付してその説明を省略する。以下の実施例においても同じとする。
【００８０】
印字ベルト２４を回転操作して印字内容を変更する場合には、図２０に示すように印面台１０３を退避位置までスライド操作して、その受座１１３を印字ベルト２４の回転軌跡の外に位置させる。この状態で各調整ダイヤル２２を回転することにより、印字すべき数字が形成してある印面部をブリッジ２３の下面に位置させることができる。
【００８１】
差換印７０の交換を行なう場合には、印面台１０３を退避位置までスライド操作して取付爪３０をフレーム１０２の下端より下方に位置させ、ホルダー７２がフレーム１０２の外面の自由空間に露出する状態で、取付爪３０を弾性変形させながら取付穴３１から取外して、固定印字体３を印面台１０３から分離する。以後は実施例１で説明したように、差換印７０を差換窓２９から取り外して、新規な差換印７０を差換窓２９に装着する。さらに、固定印字体３およびゴム印字体７４の印字面にインクを付着させた状態で紙面に捺印して、氏名印字体７１の捺印状態を確認したのち、ゴム印字体７４の印字面の高さ調整を行なう。図１８に示すように、使用状態における差換印７０は本体ケース１のフレーム１０２の内部に収容されている。
【００８２】
（実施例３）  図２１は、本発明を別のダイヤル露出型の日付印に適用した実施例を示す。この実施例における日付印は、実施例２の日付印と同様に、本体ケース１と、本体ケース１に収容される印字ユニット２と、図示していないグリップと、固定印字体３、および差換印７０などで構成する。本体ケース１は、印字ユニット２を収容するフレーム１０２と、フレーム１０２の下端に上下スライド可能に装着される印面台１０３とを備えており、印面台１０３が固定印字体３の印面ホルダー２６を兼ねる点が、実施例２の日付印と異なる。詳しくは、受座１１３が印面ホルダー２６を兼ねており、その下面側にゴム印字体２７が固定してある。フレーム１０２と印面台１０３とは両者を貫通する連結軸１１５を介して連結されて、印字ユニット２のフレーム２０、および本体ケース１のフレーム１０２に設けたスライド溝１１６に沿って上下スライドできる。さらに、印面台１０３をスライド溝１１６の下端までスライドした状態では、固定印字体３および印面台１０３を連結軸１１５の回りに揺動させて、フレーム１０２から分離した姿勢に操作できる。
【００８３】
上記のように、実施例３の日付印においては、印面台１０３がフレーム１０２の下端に装着される組付姿勢と、印面台１０３がフレーム１０２から取外された分離姿勢とに姿勢変更できるので、印面台１０３を分離姿勢にした状態で差換印７０の交換を行う。印面台１０３をスライド溝１１６に沿って下降移動させて分離姿勢にした状態では、印面台１０３とフレーム１０２との間に大きな隙間が形成され、ホルダー７２がフレーム１０２の外面の自由空間に露出するので、その状態のままで差換印７０の交換を行うことができる。また、印面台１０３をスライド溝１１６に沿って下降移動させ、さらに印面台１０３を連結軸１１５の回りに揺動させて、フレーム１０２の前面側に位置させた状態で差換印７０の交換を行ってもよい。使用状態における差換印７０は本体ケース１のフレーム１０２の内部に収容されている。
【００８４】
実施例１では、ホルダー７２と締結ビス８９との間に差換印７０用の高さ調整機構を設けたが、その必要はなく、高さ調整機構は氏名印字体７１と締結ビス８９との間に設けることができる。例えば、図２２に示すように、氏名印字体７１の印字台７３の上面にねじボス１２０を設け、その内面に雌ねじ１２１を形成する。ねじボス１２０はホルダー７２のベース壁７８の中央に設けたガイド穴１２２で支持してあり、これにより氏名印字体７１の全体がホルダー７２で上下スライドのみ自在に案内される。締結ビス８９は高さ調整具を兼ねており、先の雌ねじ１２１にねじ込まれるねじ軸１２３と、ベース壁７８の上面で受止められる筒部１２４と、筒部１２４の上側に設けられる調整つまみ１２５を一体に備えている。ベース壁７８と印字台７３との間には、ねじ軸１２３が緩むのを防ぐ摩擦付与ばね（ばね）１２６を配置する。
【００８５】
図２２の高さ調整機構においては、締結ビス８９の調整つまみ１２５をねじ込み操作すると、氏名印字体７１の全体がベース壁７８の側に引寄せられ、逆に調整つまみ１２５を緩めると氏名印字体７１の全体がベース壁７８から遠ざかる向きに移動する。従って、調整つまみ１２５を回転操作するだけで、氏名印字体７１の印字面の高さを自由に調整することができる。なお、実施例１の高さ調整機構が、印字面の高さを段階的に調整できるものであったのに対し、図２２の高さ調整機構は、印字面の高さを無段階に調整することができる点で異なっている。この実施例から理解できるように、差換印７０の高さ調整機構は雌雄のねじを調整要素にして構成でき、図２２で説明した構成以外の構造を採用することができる。
【００８６】
上記の実施例以外に、調整溝８７の形成個数は、日付印や差換印７０のサイズの違いに応じて必要な個数に設定することができる。基準リブ８１および調整溝８７の形状は、三角形状や逆Ｖ字状である必要はなく、互いに係合できる形状であれば波形や鋸刃形などの他の形状に形成することができる。基準リブ８１は少なくとも１個設けてあれば足りる。ばね８６は板ばねやキックばね、あるいはゴムブロックなどで構成することができる。差換印７０は複数個の印字体で構成することができ、必要があれば、印字ベルト２４を間に挟む固定印字体３の前後２個所に差換印７０を配置できる。固定印字体３は、円形以外に楕円形や四角形などに形成することができる。日付印は錠構造を備えていることが好ましいが、錠構造を備えていない日付印であってもよい。上キャップ１７は、締結ボス１６に着脱する必要はなく、係合構造を設けたカバー筒８に対して着脱することができる。
【符号の説明】
【００８７】
１  本体ケース
２  印字ユニット
３  固定印字体
７  主ケース
８  カバー筒
１３  差換印の出入口
３０  取付爪
３１  取付穴
７０  差換印
７１  氏名印字体
７２  ホルダー
８５  調整筒
８９  締結ビス(締結ねじ)
【図１】
2014108596.tif 000003
【図２】
2014108596.tif 000004
【図３】
2014108596.tif 000005
【図４】
2014108596.tif 000006
【図５】
2014108596.tif 000007
【図６】
2014108596.tif 000008
【図７】
2014108596.tif 000009
【図８】
2014108596.tif 000010
【図９】
2014108596.tif 000011
【図１０】
2014108596.tif 000012
【図１１】
2014108596.tif 000013
【図１２】
2014108596.tif 000014
【図１３】
2014108596.tif 000015
【図１４】
2014108596.tif 000016
【図１５】
2014108596.tif 000017
【図１６】
2014108596.tif 000018
【図１７】
2014108596.tif 000019
【図１８】
2014108596.tif 000020
【図１９】
2014108596.tif 000021
【図２０】
2014108596.tif 000022
【図２１】
2014108596.tif 000023
【図２２】
2014108596.tif 000024